(57)【特許請求の範囲】
【請求項１】
光源となるＬＥＤユニットと、
それを点灯させる電源装置と、
前記ＬＥＤユニットと前記電源装置とが取付けられる本体と、
を備えたＬＥＤ照明装置において、
前記電源装置と前記ＬＥＤユニットを電気的に接続する配線部分を覆い隠すインナーカバーを備え、
前記インナーカバーは、前記ＬＥＤユニットを介在して前記本体に固定されていることを特徴とするＬＥＤ照明装置。
【請求項２】
前記配線部分は、前記ＬＥＤユニットの一端側に設けられており、電気的に接続する配線と、該配線の接続コネクタを有していることを特徴とする請求項１に記載のＬＥＤ照明装置。
【請求項３】
前記ＬＥＤユニットは複数のＬＥＤユニット部材から構成されており、少なくとも１つのＬＥＤユニット部材を前記電源装置と電気的に接続するとともに、隣接するＬＥＤユニット部材同士を電気的に接続したことを特徴とする請求項１又は２に記載のＬＥＤ照明装置。
【請求項４】
前記インナーカバーは、前記電源装置を覆う平面部と、前記配線部分を覆い隠す折返部が形成されていることを特徴とする請求項１から３のいずれかに記載のＬＥＤ照明装置。
【発明の詳細な説明】
【技術分野】
【０００１】
本発明は、ＬＥＤ照明装置に関し、特に屋外で使用するＬＥＤ照明装置に関するものである。
【背景技術】
【０００２】
屋外で使用するＬＥＤ照明装置は広い範囲を均一な明るさで照らす必要があり、その実現のために、光源であるＬＥＤ素子を実装した複数のＬＥＤ基板をＬＥＤ照明装置の内部に配置することで目的を果たしている。それらの複数のＬＥＤ基板を点灯させるためには、それぞれに電源装置から電力を供給する必要があり、ＬＥＤ基板の数が増えるにつれて電力供給用の配線数が増えてしまい、美観を損ねてしまう虞がある。
【０００３】
特許文献１に記載の照明器具は、シャーシの前面にランプソケットおよび点灯部品を取り付け、このランプソケットおよび点灯部品の配線のために前記シャーシの背面にリード線を配設し、このリード線を覆うように前記シャーシ本体の背面側に絶縁カバーを設けている。すなわち、リード線を絶縁カバーで被覆し、リード線止め具を必要とせず、かつ、前面の美観を良くした構成が採られている。
【０００４】
また、特許文献２に記載の照明器具は、金属薄板製のシャーシの前面にランプソケットおよび点灯部品を配設し、シャーシの周縁部の背面側にリード線配線用の間隙を形成する高さの外枠を形成し、シャーシの背面でリード線の配線を行うため、前面の美観が良くなる構成が採られている。
【先行技術文献】
【特許文献】
【０００５】
【特許文献１】実開昭５０−８１６８３号公報
【特許文献２】特開平３−１６７７１０号公報
【発明の概要】
【発明が解決しようとする課題】
【０００６】
しかしながら、上記従来のいずれの照明器具も、シャーシの前面にランプソケットおよび点灯部品を取り付け、シャーシの背面でランプソケットおよび点灯部品をリード線にて配線し接続するためリード線が煩雑となり、その煩雑な配線が外部に露呈するため美観が損ねられる。さらに、接続すべきリード線が確認し難く、誤配線を生じる問題がある。
【０００７】
また、特許文献１に記載の照明器具は接続したリード線を覆う絶縁カバーを別途必要となる問題がある。
【０００８】
本発明は、上記問題点に鑑みなされたもので、電源装置からの電力供給用の配線の誤配線を防止することができるとともに、ＬＥＤ基板の配線や接続部品等を覆い隠して美観を良くすることができるＬＥＤ照明装置を提供することを目的する。
【課題を解決するための手段】
【０００９】
上記課題を解決するために、請求項１に記載の発明にあたっては、光源となるＬＥＤユニットと、それを点灯させる電源装置と、前記ＬＥＤユニットと前記電源装置とが取付けられる本体と、を備えたＬＥＤ照明装置において、
前記電源装置と前記ＬＥＤユニットを電気的に接続する配線部分を覆い隠すインナーカバーを備え、
前記インナーカバーは、前記ＬＥＤユニットを介在して前記本体に固定されていることを特徴とする。
【００１０】
請求項２に記載の発明にあたっては、前記配線部分は、前記ＬＥＤユニットの一端側に設けられており、電気的に接続する配線と、該配線の接続コネクタを有していることを特徴とするものである。
【００１１】
請求項３に記載の発明にあたっては、前記ＬＥＤユニットは複数のＬＥＤユニット部材から構成されており、少なくとも１つのＬＥＤユニット部材を前記電源装置と電気的に接続するとともに、隣接するＬＥＤユニット部材同士を電気的に接続したことを特徴とするものである。
【００１２】
請求項４に記載の発明にあたっては、前記インナーカバーは、前記電源装置を覆う平面部と、前記配線部分を覆い隠す折返部が形成されていることを特徴とするものである。
【発明の効果】
【００１３】
本発明によれば、ＬＥＤ基板は、電源装置からの電力供給用の配線の少なくとも一端にはＬＥＤ基板に設けられたコネクタと接合するコネクタを備えているため、誤配線を防止することができるとともに、インナーカバーによってＬＥＤ基板のコネクタを取付けた部分やコネクタが取付けられている配線が覆い隠されるため美観を良くすることができる。
【図面の簡単な説明】
【００１４】
【図１】本発明のＬＥＤ照明装置の部品構成斜視図である。
【図２】同上のＬＥＤユニットの図であり、（ａ）は外観斜視図、（ｂ）は部品構成斜視図、（ｃ）は同図記載のＡ−Ａ'の線断面図である。
【図３】同上の本体の内側の形状を示す斜視図である。
【図４】同上のインナーカバーの説明図であり、（ａ）は取付状態で下から見た斜視図、（ｂ）は取付状態で上から見た斜視図、（ｃ）は図（ａ）のＢ方向からの矢視図、（ｄ）は図（ｃ）のＣ−Ｃ'線に沿う断面図である。
【図５】同上のＬＥＤ照明装置を被取付部材に取付けた状態の図であり、（ａ）は全体外観斜視図、（ｂ）は図（ａ）のＤ−Ｄ'線に沿う断面図である。
【図６】同上の各ＬＥＤユニットと電源装置とを配線した状態の斜視図である。
【図７】同上の各ＬＥＤユニットと電源装置とを配線した後、インナーカバーを装着した状態の斜視図である。
【図８】本発明のＬＥＤ照明装置を被取付部材に取付けた状態の斜視図である。
【図９】同上の自動点滅器の部品構成斜視図である。
【図１０】同上の自動点滅ユニット周辺の一部拡大断面図である。
【図１１】同上の図５（ａ）のＥ−Ｅ'線に沿う断面図である。
【図１２】同上の自動点滅ユニットの本体への取付け状態の説明図であり、（ａ）は取付後の状態、（ｂ）は取付前の状態を示す斜視図である。（ｃ）は同図（ｂ）記載の矢印Ｆ方向の斜視図である。
【図１３】本発明のＬＥＤ照明装置を被取付部材に取付けた状態の斜視図である。
【発明を実施するための形態】
【００１５】
以下に、本発明に係るＬＥＤ照明装置の実施形態を図面に基づいて説明する。
【００１６】
図１は本発明に係るＬＥＤ照明装置の部品構成図である。図１に示すように、本発明のＬＥＤ照明装置１００は、本体１と、その本体１の下部に固定された透光性カバー２と、本体１と透光性カバー２の内部に収納されるＬＥＤユニット群４と、このＬＥＤユニット群４の下端部（配線部分）を覆うためのインナーカバー３を有している。本体１の内部に電源装置５と点灯制御装置６が固定されており、透光カバー２は、本体１内部に固定されたＬＥＤユニット群４とインナーカバー３を覆っている。
【００１７】
本体１は金属や合成樹脂を使用して概略半円盤形状に成形され、この本体１にネジ止め等により固定されるボックス形の透光性カバー２は透光性樹脂を使用して成形されている。
【００１８】
ＬＥＤユニット群４について図２を用いて説明する。ＬＥＤユニット群４は、本体１の内周面に沿って配設される複数のＬＥＤユニット部材４１〜４５及び４２'〜４５'と、本体１の略中央部に配設されるＬＥＤユニット部材４６から構成されている。尚、各ＬＥＤユニット部材は同じ構造であるため、ここではＬＥＤユニット部材４３を代表例として説明する。図２（ｂ）は、ＬＥＤユニット部材４３の部品構成図であり、ＬＥＤ素子２００が実装されたＬＥＤ基板４３ｂは、反射体４３ａと基板支持体４３ｃに挟持され、基板支持体４３ｃの支持部４３ｉに設けられたネジ穴４３ｅからＬＥＤ基板４３ｂのネジ穴４３ｆを介し、反射体４３ａの裏側に設けられたボス４３ｇにネジ４３ｄにより固定される。コネクタ４３ｍはＬＥＤ基板４３ｂに一端部に取付けられ、後述する配線１０に取付けられたコネクタが着脱可能に接続される。
【００１９】
反射体４３ａは高反射率の添加材が配合された合成樹脂で成形、または、耐熱性の良好な合成樹脂で成形された後、アルミ蒸着メッキなどのメッキ加工を施し反射率を高められる。反射体４３ａはＬＥＤ基板４３ｂ上に実装された各ＬＥＤ素子２００の発光面が露出するようにＬＥＤ素子に対応して複数のＬＥＤ照射開口部（反射部）４３ｈを有し、各ＬＥＤ素子２００を囲うように凹湾曲状に形成されている。この反射体４３ａにより、配光が制御されている。
【００２０】
基板支持体４３ｃは熱伝導率の高いアルミニウム等で造られており、平板状の支持部４３ｉの一端を略「く」字状に屈曲して固定部４３ｊを形成している。固定部４３ｊにはネジ穴４３ｋ、４３ｋ'が設けられている。ＬＥＤユニット部材４３は、図３に示すように、前記固定部４３ｊが、後述する本体１の内面に設けられたＬＥＤユニット固定部１１３の固定穴１１３ａ、１１３ｂにネジ（不図示）により固定される。
【００２１】
本体１の内面には、図３に示すように、ＬＥＤユニット部材４１〜４５及び、４２'〜４５'を取付けるためのＬＥＤユニット固定部１１１〜１１９が設けられるとともに、略中央部にはＬＥＤユニット部材４６を取り付けるためのＬＥＤユニット固定部１２０が設けられている。これらＬＥＤユニット固定部１１１〜１２０は、縦横のリブ形状で構成され本体１と一体成形されている。各ＬＥＤユニット部材は、その固定部（図２で示す固定部４３ｊ参照）に設けたネジ穴（図２で示すネジ穴４３ｋ，４３ｋ'参照）と、ＬＥＤユニット固定部１１１〜１２０に設けられた固定穴１１１ａ〜１２０ａ及び１１１ｂ〜１２０ｂが複数のネジ４００（図５参照）によって固定される。各ＬＥＤユニット部材を、所定のＬＥＤユニット固定部への固定は、次のようにして行う。ＬＥＤユニット部材４１の場合、ＬＥＤユニット部材４１の固定部をＬＥＤユニット固定部１１１上に配置し、ＬＥＤユニット部材４１の固定部に設けた各ネジ穴をＬＥＤユニット固定部に設けた固定穴１１１ａ、１１１ｂにそれぞれネジ４００により固定する。他のＬＥＤユニット部材のＬＥＤユニット固定部への固定も同様に行う。
【００２２】
図１及び図６に示す通り、電源装置５とＬＥＤユニット群４は、配線１０により電気的に接続されている。すなわち、各ＬＥＤユニット部材にはコネクタ４１ｍ〜４６ｍ、４１'ｍ〜４６'ｍが取り付けられ、これに対応して配線１０の末端部（両端部）にもコネクタ１０ａが取り付けられており、双方のコネクタ同士を着脱可能に接続している。例えば、ＬＥＤユニット部材４５に取付けられたコネクタ４５ｍに配線１０の末端のコネクタを接続し、配線１０の他端部のコネクタをＬＥＤユニット部材４５に隣接するＬＥＤユニット材部４４のコネクタ４４ｍに接続し、以後、同様にＬＥＤユニット部材のコネクタに順番に、配線１０に取付けられたコネクタ１０ａを接続していくことで誤配線を防ぎながら確実に配線を行うことができる。なお、コネクタ４１ｍ〜４６ｍ、４１'ｍ〜４６'ｍは通常電気器具で使われる公知の構造をした配線用のコネクタである。
【００２３】
インナーカバー３は、本体１の形状と対応した概略半円盤形状であり、合成樹脂を使用して成形されている。図５（ｂ）は図２に記載のＡ−Ａ'線断面図であり、インナーカバー３は、図４及び図５（ｂ）に示すように、底面部３２から立ち上がる壁３３と壁３３から略水平方向に延出し形成される折返部３４により構成されており、図４（ａ）、（ｂ）に示す通り、底面部３２には中空筒状の突状部３５、３６、３７が設けられ、図４（ｃ）に示す通り、それらの底部には固定用のネジ（不図示）が貫通するためのネジ穴３５ａ、３６ａ、３７ａが設けられている。図５（ｂ）に示すように、インナーカバー３の略中央部に、ＬＥＤユニット４６の傾斜部３１が図５（ｂ）中の矢印で示す被取付部材８とは反対方向に照射するように傾斜させて形成され、その傾斜部には開口部３１ａ（図４参照）が設けられている。ＬＥＤユニット４６はその開口部３１ａを通して照射を行う。図５（ｂ）に示すように、インナーカバー３と本体１との間には、ＬＥＤユニット部材４１〜４５及び、４２'〜４５'が介在しており、電源ユニット６と離間した状態で、ネジ穴３５ａ、３６ａ、３７ａにネジ（図示せず）を用いて本体１内部に設けられた固定用ボス１７ａ、１７ｂ、１７ｃに固定される。以上により、インナーカバー３は、ＬＥＤユニット部材４１〜４５及び、４２'〜４５'が配列された空間と電源ユニット６の空間とを分割し、電源ユニット６で発生した熱がＬＥＤユニット部材４１〜４５及び、４２'〜４５'が配列された空間への拡散を軽減している。
【００２４】
インナーカバー３は、本体１の内部に固定された電源装置５と点灯制御装置６を下方から覆うとともに、ＬＥＤユニット群４の下部に備えられたコネクタ４１ｍ、４２ｍ・・・・、さらにそれらを電気的に接続するための配線１０を覆っている。インナーカバー３はコネクタ４１ｍ、４２ｍ・・・・の部分を覆うため、ＬＥＤユニット群４のＬＥＤ照射開口部４３ｈからのＬＥＤ照射を妨げることはない。
【００２５】
図６は電源装置５及び、各ＬＥＤユニットとの配線が完了した状態を示している。なお、図６では、内部の状態が見えるようにカバーを外している。図６からわかるように、ＬＥＤユニット群４に接続されている配線１０の取り回しが煩雑に見えるため美観を損ねている。
【００２６】
図７は、インナーカバー３を本体１に取付けた状態である。インナーカバー３が電源装置５、点灯制御装置６及び、配線１０が接続されたコネクタ４１ｍ〜４６ｍ、４１'ｍ〜４６'ｍを覆い隠している。また、配線１０及び、配線１０と接続されたコネクタ４１ｍ〜４６ｍ、４１'ｍ〜４６'ｍも覆い隠されている。
【００２７】
上記の通り、本体１に取付けられたインナーカバー３は、本体１の内部に固定された電源装置５と点灯制御装置６と、ＬＥＤユニット群４の下部に備えられたコネクタ、さらにそれらを電気的に接続するための配線１０を覆っているので、図８に示すように、被取付部材８に取付けられたＬＥＤ照明装置１００を下から見上げたとき、インナーカバー３によってＬＥＤユニット群４の反射体４１ａ〜４６ａと４２'ａ〜４５'ａの部分以外は目視できないので美観を損ねることがない。
【００２８】
上述したＬＥＤ照明装置１００には自動点滅ユニット７（図１）が設けられている。この自動点滅ユニット７は、図９及び図１０に示すように、受光センサー７１ｃを備えた自動点滅基板７１、遮光部材７３及び透光性キャップ７２から構成されている。遮光部材７３は中間部に隔壁部７３ｅを有しており、隔壁部７３ｅの前方部に空隙部７３ｂが形成されている。自動点滅基板７１は、遮光部材７３の後端部に形成された自動点滅基板収納凹部７３ａに装着されており、受光センサー７１ｃは、隔壁部７３ｅに設けられた開口部７３ｄを通って空隙部７３ｂに突出している。遮光部材７３の空隙部７３ｂの開口側（先端側）は本体１の内壁に設けた溝１４ａに挿入され、遮光性と基板の保持性が確保されている。遮光部材７３は遮光性の良好な黒色のゴム等で成形される。
【００２９】
自動点滅基板７１を収容した遮光部材７３は、図１２（ｂ）に示すように、本体１に設けられた基板固定用スリット１８ａ、１８ｂ、１８ｃ、１８ｄに挿入することで、遮光部材７３に収納される自動点滅基板７１に取付けられた受光センサー７１ｃの軸方向が固定される。自動点滅基板７１の四隅部７１ａ、７１ａ'、７１ｂ、７１ｂ'はそれぞれ基板固定用スリット１８ｄ、１８ａ、１８ｃ、１８ｂに差し込み、本体１の内壁から延出するボス１７、１７'に点灯制御装置６の底部延出部６１をネジ等で固定すると、点灯制御装置６の底部延出部６１と基板固定用スリット１８ａ、１８ｂ、１８ｃ、１８ｄによって自動点滅基板７１が挟持されて、自動点滅基板７１を収容した遮光部材７３が本体１内部に図１２（ａ）のように固定される。
【００３０】
図１０に示すように、透光性キャップ７２は、本体１に設けられた採光孔１４に圧入される円筒部７２ｂと、その円筒部７２ｂの一端側に採光孔１４の直径より大きい直径である円形の採光窓部７２ａと、円筒部７２ｂの他端側に透光性キャップ７２が外れないように係合部７２ｃとからなっている。採光窓部７２ａ、円筒部７２ｂ、係合部７２ｃはそれぞれ採光孔１４に密着しているので、水密性が高く雨水等の浸入を防止する。透光性キャップ７２は、シリコーンゴム等の透光性を有する軟質部材を用いて一体成形される。
【００３１】
以上の通り、遮光部材７３と採光窓部７２ａと採光孔１４とで受光センサー７１ｃが受光するための空間が形成され、遮光部材７３により外乱光の進入を防ぐので、受光センサー７１ｃは採光窓部７２ａから採り込んだ光だけを受光することができる。
【００３２】
受光センサー７１ｃで受光し、自動点滅基板７１の出力信号に応じて、電源装置５に接続されている点灯制御装置６が供給電力の遮断・供給の制御を行い、ＬＥＤユニット群４の消灯・点灯が行われる。
【００３３】
図１１は図５（ａ）に記載のＥ−Ｅ'線断面図であり、自動点滅ユニット７は上面から見ると、中央部からずらし、ＬＥＤ照明装置１００を電柱やポール等の被取付部材８に取付けるための取付アーム１５の横に備えられている。ＬＥＤ照明装置１００の中央部、つまり被取付部材８と取付アーム１５の間に透光性キャップ７２を設けると、落葉等の異物が被取付部材８と取付アーム１５とで囲まれた空間を塞いでしまった場合、周囲が明るい状態でも透光性キャップ７２から採り込む照度が低下し、自動点滅ユニット７は夜間として判断してしまい、いつまでも点灯が続く可能性がある。このような誤動作を防止するために自動点滅ユニット７は落葉等の異物に覆われないように、中央部からずらして設置している。
【００３４】
図１３は被取付部材８にＬＥＤ照明装置１００を取付けた状態である。自動点滅ユニット７の透光性キャップ７２は略水平に、ＬＥＤ照明装置１００のＬＥＤユニット群４の照射方向とは略反対方向に取り付けられている。この位置に取り付けることで、上方の光を受光しないので、夜間でも周囲の建物の照明や看板等の明かり等の外乱光の受光を防止でき、また、下方の光を受光しないので、路面とその周辺の光を受光せず、夜間に自動車のライトにより、自動点滅器が屋外が明るくなったと認識するために所定時間の間、路面が明るく照らされたとき、自動点滅器に内蔵されたスイッチは遮断し消灯してしまうという誤動作が防止できる。更に遮光部材７３と採光窓部７２ａと採光孔１４とで受光センサー７１ｃが受光するための空間が形成され、遮光部材７３により外乱光の進入を防ぐので、ＬＥＤユニット群４の照射光が透光性カバー２で反射された光を受光して外が明るくなったと認識してしまう誤動作も防止できる。
【００３５】
透光性キャップ７２の上には庇１１が設けられ、上方からの外乱光が透光性キャップ７２に入射するのを防止し、また、雨水等が透光性キャップ７２に直接降りかかりＬＥＤ照明装置１００の内部への浸水を防止する。
【符号の説明】
【００３６】
１                            本体
１１                          庇
１４                          採光孔
２                            透光性カバー
３                            インナーカバー
４                            ＬＥＤユニット群
５                            電源装置
６                            点灯制御装置
８                            被取付部材
１００                        ＬＥＤ照明装置
２００                        ＬＥＤ素子
【要約】
【課題】
電源装置からの電力供給用の配線の誤配線を防止することができるとともに、ＬＥＤ基板の配線や接続部品等を覆い隠して美観を良くすることができるＬＥＤ照明装置を提供することを目的する。
【解決手段】
光源となるＬＥＤユニットと、それを点灯させる電源装置と、前記ＬＥＤユニットと前記電源装置とが取付けられる本体とを備えたＬＥＤ照明装置において、前記電源装置と前記ＬＥＤユニットを電気的に接続する配線部分を覆い隠すインナーカバーを備える。
【選択図】図1【図１】
0005449586.tif 000002
【図２】
0005449586.tif 000003
【図３】
0005449586.tif 000004
【図４】
0005449586.tif 000005
【図５】
0005449586.tif 000006
【図６】
0005449586.tif 000007
【図７】
0005449586.tif 000008
【図８】
0005449586.tif 000009
【図９】
0005449586.tif 000010
【図１０】
0005449586.tif 000011
【図１１】
0005449586.tif 000012
【図１２】
0005449586.tif 000013
【図１３】
0005449586.tif 000014